(57)【要約】【課題】子機において親機が回線保留中あるいは留守電応答中などの特定の状態にあるか否かを判別し、該子機からの発呼を制限し、あるいは、発呼の制限を解除する。【解決手段】親機２０と、当該親機２０と無線接続可能な子機３０と、を備えるコードレス電話装置１０であり、子機３０は、親機２０から送信される状態通知情報に基づいて、親機の状態を判別する状態判別部（制御部４１の状態判別ぶ４１１）と、子機３０からの発呼を制限する発呼制限部（制御４１の発呼制限部４１２）、を備え、親機２０が所定の状態であると状態判別部４１１が判別すると、発呼制限部４１２は子機３０からの発呼を制限し、状態判別部４１１が親機２０の所定の状態が解消したと判別すると、発呼制限部４１２は、子機からの発呼の制限を解除する。【選択図】  図３
2012049859.tif 000002
【特許請求の範囲】
【請求項１】
親機と、当該親機と無線接続可能な子機と、を備えるコードレス電話装置であり、
前記子機は、前記親機から送信される状態通知情報に基づいて、前記親機の状態を判別する状態判別部と、
前記子機からの発呼を制限する発呼制限部と、を備え、
前記親機が所定の状態であると前記状態判別部が判別すると、前記発呼制限部は子機からの発呼を制限し、
前記状態判別部が前記親機の所定の状態が解消したと判別すると、前記発呼制限部は、前記子機からの発呼の制限を解除することを特徴とするコードレス電話装置。
【請求項２】
前記所定の状態とは、前記親機が回線保留中の状態であるか、又は、前記親機が留守電応答中の状態であることを特徴とする請求項１に記載のコードレス電話装置。
【請求項３】
親機と、当該親機と無線接続可能な子機と、を備え、前記子機が充電状態から非充電状態になると自動的に子機から親機に対して無線接続の要求を行うクイック通話機能を有するコードレス電話装置であり、
前記子機は、前記親機から送信される状態通知情報に基づいて、前記親機の状態を判別する状態判別部と、前記子機からの発呼を制限する発呼制限部と、を備え、
前記子機は、充電状態から非充電状態に変化した際に、前記状態判別部が、前記親機が所定の状態であると判別すると、前記発呼制限部は子機からの発呼を制限し、
前記状態判別部が前記親機の所定の状態が解消したと判別すると、前記発呼制限部は、前記子機からの発呼の制限を解除することを特徴とするコードレス電話装置。
【請求項４】
前記子機は、更に表示部を有し、充電台に載置された状態で表示部を消灯する省電力機能を有し、
前記状態判別部が、前記親機が所定の状態であると判別すると、前記表示部を点灯し、前記親機が所定の状態にあることを所定の第１時間の間、報知することを特徴とする請求項１〜請求項３の何れかに記載のコードレス電話装置。
【請求項５】
前記状態判別部が、前記親機が所定の状態ではなくなったと判別すると、前記表示部に前記親機が所定の状態であることが解消されたことを、所定の第２時間の間、報知することを特徴とする請求項４に記載のコードレス電話装置。
【発明の詳細な説明】
【技術分野】
【０００１】
本発明は、親機と、当該親機と無線接続可能な子機と、を備えるコードレス電話装置に関するものであり、特に、子機において親機が回線保留中あるいは留守電応答中などの所定の状態にあるか否かを判別し、該子機からの発呼を制限し、あるいは、発呼の制限を解除するようにしたコードレス電話装置に関するものである。
【背景技術】
【０００２】
昨今、家庭用電話機としてコードレス電話システムが多く利用されている。コードレス電話システムは、電話回線にケーブル接続される親機と、この親機と無線で接続される１又は２台以上の子機とからなる。
【０００３】
この種のコードレス電話システムには、例えば下記特許文献１（特開平１１−３３１３２４号公報）に示されるように、親機での保留を知らない子機の利用者が、子機から親機に対して通話要求をすることで意図せずに親機の保留を解除するのを防止できるようにしたコードレス電話装置が知られている。
【０００４】
従来のコードレス電話装置では、親機が保留中或いは、親機で応答メッセージ送出中又は用件メッセージ録音中に、子機から通話指示があると、回線と接続されている相手先と子機との間に通話路が確立され、相手先と子機との間で通話状態となってしまう。これを回避するため、特許文献１に開示されたコードレス電話装置では、回線を通じて音声信号の送受信を行うと共に、子機とコードレス通信を行う無線送信部及び無線受信部と、通話を保留中の親機への子機からの通話要求に対して警告信号を送信する警告信号送信部とを有する親機と、親機とコードレス通信を行う子機とを備えたコードレス電話装置であって、親機が通話を保留中であれば、親機は子機からの通話要求に対しては警告信号を発して子機から警告を行わせると共に通話を一旦不許可とし、その後は所定の条件を満たせば通話を許可するように構成されている。
【先行技術文献】
【特許文献】
【０００５】
【特許文献１】特開平１１−３３１３２４号公報
【発明の概要】
【発明が解決しようとする課題】
【０００６】
しかしながら、上記特許文献１のコードレス電話装置では、子機から親機へ通話指示があった際に親機が保留中であれば、親機から子機へ警告信号を送信する必要があり、又、この警告信号を送信するための警告信号送信部を搭載する必要があった。そのため、回路構成が複雑になり、コスト高となるという問題が生じる。更に、このコードレス電話装置では、警告信号送信後に、親機の保留が解除した際に子機のユーザにその旨を報知することが望ましいが、その点に関してはなんら考慮されていない。
【０００７】
本発明は、上記の問題点に鑑みてなされたものであり、子機において親機が回線保留中あるいは留守電応答中などの所定の状態にあるか否かを判別し、該子機からの発呼を制限し、あるいは、発呼の制限を解除することができるコードレス電話装置を提供することを目的とするものである。
【課題を解決するための手段】
【０００８】
前記課題を解決するために、本願の請求項１にかかる発明は、親機と、当該親機と無線接続可能な子機と、を備えるコードレス電話装置であり、前記子機は、前記親機から送信される状態通知情報に基づいて、前記親機の状態を判別する状態判別部と、前記子機からの発呼を制限する発呼制限部と、を備え、前記親機が所定の状態であると前記状態判別部が判別すると、前記発呼制限部は子機からの発呼を制限し、前記状態判別部が前記親機の所定の状態が解消したと判別すると、前記発呼制限部は、前記子機からの発呼の制限を解除することを特徴とするコードレス電話装置。
【０００９】
また、本願の請求項２にかかる発明は、請求項１の発明にかかるコードレス電話装置において、前記所定の状態とは、前記親機が回線保留中の状態であるか、又は、前記親機が留守電応答中の状態であることを特徴とする。
【００１０】
また、本願の請求項３にかかる発明は、親機と、当該親機と無線接続可能な子機と、を備え、前記子機が充電状態から非充電状態になると自動的に子機から親機に対して無線接続の要求を行うクイック通話機能を有するコードレス電話装置であり、前記子機は、前記親機から送信される状態通知情報に基づいて、前記親機の状態を判別する状態判別部と、前記子機からの発呼を制限する発呼制限部と、を備え、
前記子機は、充電状態から非充電状態に変化した際に、前記状態判別部が、前記親機が所定の状態であると判別すると、前記発呼制限部は子機からの発呼を制限し、
前記状態判別部が前記親機の所定の状態が解消したと判別すると、前記発呼制限部は、前記子機からの発呼の制限を解除することを特徴とする。
【００１１】
また、本願の請求項４にかかる発明は、請求項１〜請求項３の何れかの発明にかかるコードレス電話装置において、前記子機は、更に表示部を有し、充電台に載置された状態で表示部を消灯する省電力機能を有し、前記状態判別部が、前記親機が所定の状態であると判別すると、前記表示部を点灯し、前記親機が所定の状態にあることを所定の第１時間の間、報知することを特徴とする。
【００１２】
また、本願の請求項５にかかる発明は、請求項４の発明にかかるコードレス電話装置において、前記状態判別部が、前記親機が所定の状態ではなくなったと判別すると、前記表示部に前記親機が所定の状態であることが解消されたことを、所定の第２時間の間、報知することを特徴とする。
【発明の効果】
【００１３】
請求項１にかかる発明においては、親機と、当該親機と無線接続可能な子機と、を備えるコードレス電話装置であり、前記子機は、前記親機から送信される状態通知情報に基づいて、前記親機の状態を判別する状態判別部と、前記子機からの発呼を制限する発呼制限部と、を備え、前記親機が所定の状態であると前記状態判別部が判別すると、前記発呼制限部は子機からの発呼を制限し、前記状態判別部が前記親機の所定の状態が解消したと判別すると、前記発呼制限部は、前記子機からの発呼の制限を解除するように構成した。
【００１４】
かかる構成によれば、子機から親機へ通話指示があった際に、子機において親機が回線保留中あるいは留守電応答中などの所定の状態にあるか否かを判別して子機からの発呼を制限し、あるいは、発呼の制限を解除するものであるから、親機から子機へ警告信号を送信する必要もなく、又、この警告信号を送信するための警告信号送信部を搭載する必要がない。従って、回路構成が複雑になり、コスト高となるという問題点を解消することができる。なお、親機から子機に対しては一定の周期で親機の状態を子機に通知するデータが送信されるから、子機はこのデータに基づいて親機の状態を判別することができ、子機側に特別の回路構成の追加などは必要ない。
【００１５】
請求項２にかかる発明においては、請求項１にかかるコードレス電話装置において、所定の状態とは、前記親機が回線保留中の状態であるか、又は、前記親機が留守電応答中の状態である。従って、子機から親機へ通話指示があった際に、子機において親機が回線保留中あるいは留守電応答中などの状態であった場合に、意図せずに親機の保留状態や留守電応答を解除してしまうような不都合を防止できる。
【００１６】
請求項３かかる発明においては、親機と、当該親機と無線接続可能な子機と、を備え、前記子機が充電状態から非充電状態になると自動的に子機から親機に対して無線接続の要求を行うクイック通話機能を有するコードレス電話装置であり、前記子機は、前記親機から送信される状態通知情報に基づいて、前記親機の状態を判別する状態判別部と、前記子機からの発呼を制限する発呼制限部と、を備え、前記子機は、充電状態から非充電状態に変化した際に、前記状態判別部が、前記親機が所定の状態であると判別すると、前記発呼制限部は子機からの発呼を制限し、前記状態判別部が前記親機の所定の状態が解消したと判別すると、前記発呼制限部は、前記子機からの発呼の制限を解除するように構成した。
【００１７】
かかる構成によれば、クイック通話機能を有する子機が充電台から取り上げられ、子機から親機へ通話指示があった際に、子機において親機が回線保留中あるいは留守電応答中などの所定の状態にあるか否かを判別して子機からの発呼を制限し、あるいは、発呼の制限を解除するものであるから、親機から子機へ警告信号を送信する必要もなく、又、この警告信号を送信するための警告信号送信部を搭載する必要がない。従って、回路構成が複雑になり、コスト高となるという問題点を解消することができる。
【００１８】
請求項４かかる発明においては、請求項１〜請求項３の何れかににかかるコードレス電話装置において、子機は、更に表示部を有し、充電台に載置された状態で表示部を消灯する省電力機能を有し、前記状態判別部が、前記親機が所定の状態であると判別すると、前記表示部を点灯し、前記親機が所定の状態にあることを所定の第１時間の間、報知する。
【００１９】
かかる構成によれば、子機のユーザは親機へ通話指示をした際に、親機が回線保留中あるいは留守電応答中などの所定の状態にあることを知ることができるようになる。
【００２０】
請求項５にかかる発明においては、請求項４にかかるコードレス電話装置において、前記状態判別部が、前記親機が所定の状態ではなくなったと判別すると、前記表示部に前記親機が所定の状態であることが解消されたことを、所定の第２時間の間、報知する。
【００２１】
かかる構成によれば、子機のユーザは親機へ通話指示をした際に、親機が回線保留中あるいは留守電応答中などの所定の状態にあり、その後、親機が回線保留中あるいは留守電応答中などの所定の状態が解消されたことを知ることができるようになる。
【図面の簡単な説明】
【００２２】
【図１】本発明を適用してなる実施例装置の全体図である。
【図２】本発明を適用してなる実施例装置の親機のブロック図である。
【図３】本発明を適用してなる実施例装置の子機のブロック図である。
【図４】子機３０の制御部の構成を示すブロック図である。
【図５】本実施例装置の動作を示すフロー図である。
【発明を実施するための形態】
【００２３】
以下、本発明の具体例を実施例及び図面を用いて詳細に説明する。但し、以下に示す実施例は、本発明の技術的思想を具体化するためのコードレス電話装置を例示するものであって、本発明をこのコードレス電話装置に特定することを意図するものではなく、本発明の技術的範囲は、特許請求の範囲の記載によって定められるものである。
【実施例１】
【００２４】
図１は、本発明の実施例にかかるコードレス電話装置１０の全体構成を示す図である。本実施例のコードレス電話装置１０は、電話回線に接続された電話装置の親機２０と、無線通信機能を介してこの親機２０と接続される２台の子機３０ａ，３０ｂとを有してなる。更に、子機３０ａと３０ｂとは、親機２０を介在して無線接続される。尚、このコードレス電話システム１０の通信方式はデジタルコードレス電話の通信方式である。
【００２５】
次に、本発明の実施例にかかるコードレス電話装置１０の回路構成を説明する。図２は、本発明の実施例にかかる親機２０の構成を示すブロック図である。親機２０は、制御部２１、着信検出部２２、回線接続部２３、表示部２４、操作部２５、メモリ部２６、ＡＣアダプタ２７、電源部２８、送信部３０、受信部３１、周波数シンセサイザー３２、送受信アンテナ３３、受話器３４などを備えて構成されている。
【００２６】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。
【００２７】
回線接続部２３は、電話回線と接続されて回線の解放閉結を行ったり、親機２０の電話帳データに記憶されている電話番号情報に基づいて電話回線を通じた発呼処理を行う。又、回線接続部２３は、回線の極性反転を検出する機能と、回線からの音声信号を検出する機能と、回線からのＲＢＴ（リングバックトーン）を検出する機能を有している。
【００２８】
着信検出部２２は、回路接続部２３からの着信信号を受けて着信を検出すると共に、当該着信信号をパルス信号に波形整形して制御部２１に出力する。尚、回線からのＲＢＴ（リングバックトーン）を検出する機能をこの着信検出部２２に持たせても良い。
【００２９】
表示部２４は、液晶パネル等から構成される表示ユニットであり、制御部２１からの制御信号に応じて、電話帳データである電話番号、通話時間や、通話料金などのテキストデータ等の適宜の表示を行う。
【００３０】
操作部２５は、数字や文字の入力などを行うためのテンキー、発呼および通話の開始などを操作するための通話キー、通話の終了などを操作するための終話キー、電話帳の検索・登録を行うための電話帳キー、その他の各種モードを設定するための操作を行うためのモード設定キー等から構成される。
【００３１】
メモリ部２６は、例えばフラッシュメモリによって構成され、氏名と電話番号とを対で複数格納可能な電話帳機能や、着信履歴や発信履歴を格納する機能等を有している。
【００３２】
電源部２８は、ＡＣアダプタ２７から所定の直流電圧を受けて、各回路構成要素に電源を供給する。
【００３３】
送信部３０と受信部３１は、送受信アンテナ３３を介して子機３０との間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。親機２０は一定の時間間隔で親機２０の現在の状態を示す状態通知情報を子機３０に通知する。例えば、親機３０が回線保留中か否か、あるいは留守電応答中か否かなど親機３０の状態を示す状態通知情報が子機３０に送信される。なお、留守電応答中とは、着信後自動的に回線接続して用件を録音し、録音動作が終了するまでの間をいう。
【００３４】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００３５】
次に、図３を参照しつつ、本発明の実施例にかかる子機３０の構成を説明する。コードレス電話装置１０の子機３０は、制御部４１、表示部４２、操作部４３、メモリ部４４、電源部４５、充電部４６、ＡＣアダプタ４７、送信部４８、受信部４９、周波数シンセサイザー５０、送受信アンテナ５１、レシーバ５２などを備えて構成されている。これらの構成は基本的な機能は親機と変わらず、親機２０と異なる構成のみ以下に説明する。
【００３６】
電源部４５は、充電式のバッテリーを内蔵し、子機３０の各回路構成要素に電源を供給する。充電部４６は、子機３０が充電台（図示せず）に載置されている間、ＡＣアダプタ４７から与えられる直流電圧により電源部４５のバッテリーの充電を行う。
【００３７】
送信部４８と受信部４９は、送受信アンテナ５１を介して親機２０との間に無線通信による通話リンクを確立させて、信号の送受信を行う。また、周波数シンセサイザー５０は、当該親機２０との無線通信のための信号発振を担い、制御部４１からの制御信号によって、送信部４８と受信部４９の送受信周波数を切り換える。
【００３８】
なお、子機３０は、充電台から取り上げられると、親機３０に対して自動的に接続を要求するクイック通話機能を備えたものであってもよく、また、子機３０が充電台に載置されている時には子機の表示部４２を消灯状態にし、充電台から取り上げられると表示部４２を点灯状態にする省電力制御を行う構成であってもよい。尚、クイック通話機能では、子機３０が充電台から取り上げられると、自動的に親機２０と子機３０とが無線接続され、親機２０を介して子機３０が回線と自動的に接続され、子機３０のスピーカから回線からのトーン音が聞こえる状態になる。
【００３９】
親機２０から一定の時間間隔で送信される状態通知情報を記憶するメモリ２６に記憶され、必要に応じて制御部４１により参照される。子機３０は、この状態通知情報に基づいて、前記親機の状態を判別し、子機３０からの発呼を制限する。このため、子機３０の制御部４１は、図４に示すように、この状態通知情報に基づいて親機２０の状態を判別する状態判別部４１１、発呼制限部４１２を備えている。発呼制限部４１２は、状態判別部４１１により親機が所定の状態であると判別されると、子機３０からの発呼を制限し、所定の状態が解消したと判別すると、子機３０からの発呼の制限を解除する。所定の状態は、前述のように親機２０が回線保留中の状態、あるいは、留守電応答中の状態などである。また、制御部４１は親機２０の状態を報知する時間長を制御するためのタイマーａ、タイマーｂを備えている。
【００４０】
子機３０はこのような構成であるので、子機３０から親機２０へ通話指示があった際に、子機３０において状態通知情報に基づいて親機２０が回線保留中あるいは留守電応答中などの所定の状態にあるか否かを判別して子機３０からの発呼を制限し、あるいは、発呼の制限を解除するから、従来技術である特許文献１に記載の技術のように、親機２０から子機３０へ警告信号を送信する必要もなく、又、この警告信号を送信するための警告信号送信部を搭載する必要がない。従って、回路構成が複雑になり、コスト高となることもない。
【００４１】
上述のような構成を有する本実施例の電話装置の動作内容を図５のフローチャートを参照しつつ以下詳細に説明する。図５は子機３０の動作を示すフロー図である。
【００４２】
図５のＳ０１ステップにおいて、制御部４１は、操作部４３からダイヤル番号の入力とダイヤル発信の操作があると判定すると、Ｓ０２ステップへ処理を進める。
【００４３】
続くＳ０２ステップでは、制御部４１は、状態判別部４１１によりメモリ部４４に格納されている親機２０の状態通知情報を参照して親機２０の状態が所定の状態であるか否かを判別する。ここでは、親機２０が回線保留中（以下、保留中という）であるか否かを判別する場合を例に説明する。この状態通知情報は所定時間間隔で常時親機２０から子機３０へ送信され、子機３０はこれを受信すると受信した情報をメモリ部４４へ上書き保存する。よってメモリ部４４へは最新の親機の状態情報が格納される。この参照の結果、親機２０が保留中であればＳ０３ステップへ処理を進め、保留中でなければＳ１７ステップ以降の動作をする（通常の発呼動作）。
【００４４】
Ｓ０３ステップでは、制御部４１は、表示部４２のバックライトを消灯状態から点灯状態に変えると共に親機２０が保留中である旨の報知（音声、表示等）を行う。また、発呼制限部４１２は、子機３０からの発呼があってもこれを制限（禁止）する。
【００４５】
Ｓ０４ステップでは、制御部４１は、タイマーａを起動し、所定時間（例えば３〜５秒）の計時を開始する。
【００４６】
Ｓ０５ステップでは、制御部４１は、タイマーａによる所定時間の計時が終了した否かを判定する。所定時間の計時が終了したと判定するとＳ０６ステップへ処理を進める。
【００４７】
Ｓ０６ステップでは、制御部４１は、Ｓ０３ステップで開始した親機２０が保留中である旨の報知（音声、表示等）を終了し、Ｓ０９ステップで制御部４１は、状態判別部４１１により親機２０の状態が保留中から解消されたか否かを判別する。保留中の解消が判別されなければ、Ｓ０９ステップの処理を繰り返し、解消が判別されると、Ｓ１０ステップへ処理を進める。
【００４８】
一方、Ｓ０５ステップで所定時間の計時が終了したと判定するとＳ０７ステップへ処理を進める。Ｓ０７ステップでは、制御部４１は、状態判別部４１１により親機２０の状態が保留中から解消されたか否かを判別する。保留中の解消が判別されなければ、Ｓ０５ステップに戻り、解消が判別されると、Ｓ０８ステップで親機２０の保留中報知を終了し、Ｓ１０ステップへ処理を進める。発呼制限部４１２は、子機３０からの発呼があった場合の発呼制限を解除する（Ｓ０３ステップでした発呼制限を解除する）。
【００４９】
Ｓ１０ステップでは、親機保留中が解消された旨の報知（音声、表示）を行い、Ｓ１１ステップでは、子機３０における通話キー押下、あるいは、クイック通話を有効にする。そして、Ｓ１２ステップで制御部４１は、タイマーｂを起動し、所定時間（例えば１０〜２０秒）の計時を開始する。
【００５０】
Ｓ１３ステップでは、制御部４１は、タイマーｂによる所定時間の計時が終了した否かを判定する。所定時間の計時が終了したと判定するとＳ１６ステップへ処理を進める。
【００５１】
Ｓ１６ステップでは、制御部４１は、Ｓ１０ステップで開始した親機２０の保留中状態が解消した旨の報知（音声、表示等）を終了し、表示部４２のパックライトを消灯して節電状態に入り、一連の処理を終了する。
【００５２】
一方、Ｓ１３ステップで所定時間の計時が終了したと判定するとＳ１４ステップへ処理を進める。Ｓ１４ステップでは、制御部４１は、子機２０の何らかのキー操作があったか否かを判別する。何らかのキー操作があったと判別されると、Ｓ１５ステップへと処理を進め、Ｓ１５ステップで上記キー操作に応じた動作を実行する。何らかのキー操作とは、例えば、子機２０において発呼キーが操作された場合であり、Ｓ１５ステップの処理これに対する親機２０から子機３０への呼出し処理に対する応答処理の実行である。
【００５３】
Ｓ１４ステップで。何のキー操作も判別されなければ、Ｓ１３のステップの所定時間の計時の終了判別の処理に戻る。
【００５４】
ここで、タイマーｂの計時時間はタイマーａの計時時間よりも長く設定することが好ましい。タイマーａによる計時は、子機３０において発呼操作があった際に、親機２０が保留中にある状態あることの報知開始から、その報知を終了するまでの時間を計時するものである。この場合、ユーザは子機３０の傍に所在するものであるから、報知の時間は短時間でよい。
【００５５】
これに対してタイマーｂによる計時は、親機２０の保留中状態が解消された旨の報知の開始から、その報知を終了するまでの時間を計時するものである。この状態では、ユーザは親機２０が保留中の状態にあることを報知された（Ｓ０３ステップの報知）後であるから、子機３０の傍らから離れていることも予想される。このため、タイマーｂの計時時間は、長く（ユーザが保留解消に気付くまでの時間を考慮する）することが好ましい。なおこ、ここでの報知は表示のみならず音声報知を併用することが好ましい。
【００５６】
尚、本実施例ではコードレス電話装置について本発明を適用する例で説明したが、コードレス電話機能付ファクシミリ装置、Ｖｏｉｐ（Voice Over Internet Protocol）等の電話装置においても同様に本発明を適用することが可能である。
【符号の説明】
【００５７】
１０・・・・コードレス電話装置
２０・・・・親機
２１・・・・制御部
２２・・・・着信検出部
２３・・・・回線接続部
２４・・・・表示部
２５・・・・操作部
２６・・・・メモリ部
２７・・・・メモリ
２７・・・・ＡＣアダプタ
２８・・・・電源部
２９・・・・録音・再生ユニット
３０・・・・送信部
３０ａ，３０ｂ  無線子機
３１・・・・受信部
３２・・・・周波数シンセサイザー
３３・・・・無線通信アンテナ
３４・・・・受話器
４１・・・・制御部
４１１・・・状態判別部
４１２・・・発呼制限部
４２・・・・表示部
４３・・・・操作部
４４・・・・メモリ部
４５・・・・電源部
４６・・・・充電部
４７・・・・ＡＣアダプタ
４８・・・・送信部
４９・・・・受信部
５０・・・・周波数シンセサイザ
５１・・・・無線通信アンテナ
５２・・・・レシーバ
【図１】
2012049859.tif 000003
【図２】
2012049859.tif 000004
【図３】
2012049859.tif 000005
【図４】
2012049859.tif 000006
【図５】
2012049859.tif 000007